(57)【要約】【課題】  所定の周期で信号を送信する操作装置において、素早いスイッチの操作にも追従することが可能な操作装置を提供することを目的とするものである。【解決手段】  複数のスイッチ２と、所定の送信周期でスイッチ２の信号を送信する制御部３とを備えた操作装置１において、前記送信周期内に操作されたスイッチ２の情報を記憶する記憶部４を設け、制御部３は所定の送信周期で記憶部４にて記憶したスイッチ２の情報をすべて送信するものである。【選択図】  図１
2006186702.tif 000002
【特許請求の範囲】
【請求項１】
複数のスイッチと、所定の送信周期で前記スイッチの信号を送信する制御部とを備えた操作装置において、前記送信周期内に操作された前記スイッチの情報を記憶する記憶部を設け、前記制御部は所定の送信周期で前記記憶部にて記憶した前記スイッチの情報をすべて送信することを特徴とする操作装置。
【発明の詳細な説明】
【技術分野】
【０００１】
本発明は、被制御機器と配線で接続され複数のスイッチを備えた操作装置に関し、特に素早い操作にも追従することが可能な操作装置に関するものである。
【背景技術】
【０００２】
従来の操作装置は、空気調和機や給湯器など被制御機器を操作するものである。この操作装置には、被制御機器に信号を送信する方式のひとつとして、被制御機器と配線で接続された有線（ワイヤード）式がある（例えば、特許文献１参照）。
【特許文献１】特開２０００−３０８１６５号公報
【発明の開示】
【発明が解決しようとする課題】
【０００３】
このような有線式の操作装置では、所定の送信周期で被制御機器に信号を送信するものがある。操作装置は所定の送信周期にてスイッチの状態を検出し、この検出時に操作されていたスイッチに関する信号を被制御機器に送信していた。このためスイッチを検出する時以外に、操作されたスイッチは検出されないこととなるが、送信周期の間隔が短い場合は、実用上問題は発生しない。しかし、短い期間でスイッチを何度も操作することのない被制御機器の場合、送信周期の間隔を長く設定するものがある。このような設定では、スイッチを操作したにもかかわらず、スイッチが検出されず操作できないという不具合が発生する。特に、操作装置のスイッチを検査する時などは、スイッチの動作を短時間で確認するために素早い操作を行う必要があるが、操作装置がスイッチを検出することができないため、送信周期に合わせて、スイッチを操作する必要があり、検査に要する時間がかかるという問題があった。
【０００４】
そこで、本発明は前述した問題点に着目し、所定の周期で信号を送信する操作装置において、素早いスイッチの操作にも追従することが可能な操作装置を提供することを目的とするものである。
【課題を解決するための手段】
【０００５】
本発明は、前記課題を解決するため、複数のスイッチと、所定の送信周期で前記スイッチの信号を送信する制御部とを備えた操作装置において、前記送信周期内に操作された前記スイッチの情報を記憶する記憶部を設け、前記制御部は所定の送信周期で前記記憶部にて記憶した前記スイッチの情報をすべて送信する
ものである。
【発明の効果】
【０００６】
本発明は、所定の周期で信号を送信する操作装置において、素早いスイッチの操作にも追従することが可能な操作装置を提供することができる。
【発明を実施するための最良の形態】
【０００７】
本発明は、複数のスイッチ２と、所定の送信周期でスイッチ２の信号を送信する制御部３とを備えた操作装置１において、前記送信周期内に操作されたスイッチ２の情報を記憶する記憶部４を設け、制御部３は所定の送信周期で記憶部４にて記憶したスイッチ２の情報をすべて送信するものである。
【実施例１】
【０００８】
以下、本発明の実施形態を添付図面に基づいて説明する。
【０００９】
図１は、操作装置１のブロック図であり、複数のスイッチ２からなるスイッチ操作部２ａと、マイクロコンピュータである制御部３と、操作されたスイッチ２を記憶する記憶部４と、時間を計測するカウンタ５とを備えている。なお、６は操作装置１にて操作される空気調和機や給湯器などの被制御機器である。
【００１０】
スイッチ操作部２ａは、本実施例では、４つのスイッチ２が設けられている。そして、本実施例では、スイッチ２の数が少ないので、それぞれのスイッチ２が制御部３のポートに接続されている。なお、スイッチ２の数が多い場合は、マトリックス状にスイッチ２を電気的に接続し、制御部３に接続するポート数を削減しても良い。
【００１１】
制御部３は、所定の送信周期で被制御機器６に、スイッチ２信号などを送信している。送信周期は、本実施例では、０．５秒（５００ミリ秒）間隔で、図３で示す矩形波の立ち上がりのときに信号を送信している。また、制御部３は、スイッチ２の状態を、ほぼ１０ミリ秒間隔で検出し、検出した操作されたスイッチ２の情報を記憶部４に記憶させる。また、制御部３は、被制御機器６への信号送信時に、記憶部４にて記憶した前回の信号の送信終了後から今回送信開始までの期間に操作されたスイッチ２の情報をすべて送信するものである。
【００１２】
記憶部４は、制御部３であるマイクロコンピュータ内に設けられたものであり、送信周期で行う被制御部６への送信と送信との間、すなわち送信周期内に操作されたスイッチ２の情報を記憶するものである。
【００１３】
カウンタ５は、図示しない水晶発振子からの信号を計数して、制御部３が駆動する周期を供給するものであり、制御部３は、カウンタ５からの信号に基づいて、被制御機器６への送信などを処理している。
【００１４】
次に、本実施例の操作装置１の動作を図２、３を用いて説明する。スタートで処理を開始する。ステップ１００で、カウンタ５で１０ミリミリ秒経過したか否かを判定する。ここで、１０ミリ秒に達した場合はステップ１０１に進み、１０ミリ秒に達していない場合はステップ１００に戻る。これは、一連の処理を１０ミリ秒毎に行うものである。ステップ１０１で、スイッチ操作部２ａの操作されているスイッチ２を検出された場合はステップ１０２に進み、検出されなかった場合はステップ１０３に進む。ステップ１０２で、操作されたスイッチ２の情報を記憶部４に記憶する。
【００１５】
ステップ１０３で、カウンタ５で計数した時間が５００ミリ秒に達したか否かを判定する。そこで、５００ミリ秒に達した場合はステップ１０４に進み、達していない場合は再びステップ１００に戻る。
【００１６】
ステップ１０４で、記憶部４で記憶しているスイッチ２の情報を読み出し、ステップ１０５で、読み出した情報に基づいて、スイッチ２の情報をすべて信号として被制御機器６に送信する。送信は、図３の矩形波の立ち上がりのときに処理される。そして、ステップ１０６で、記憶部４に記憶してあるスイッチ２の情報を消去し、ステップ１０７で、カウンタ５の値をクリアし、ステップ１００に戻る。
【００１７】
この処理に要する時間は１０ミリ秒であり、被制御機器６への送信と送信の間の時間である５００ミリ秒の間に、５０回の処理を繰り返すこととなる。
【００１８】
以上のように構成したことにより、送信周期で信号を送信する操作装置において、素早いスイッチ２の操作にも追従することが可能な操作装置１を提供することができる。このため、スイッチ２の検査時間を短縮することができる。また、素早いスイッチ２の操作を行っても違和感のない操作装置を提供することができる。
【００１９】
なお、被制御機器６は、前記実施例のように、空気調和機や給湯器などに限定されるものではなく、操作装置１のスイッチ２の試験装置であってもよい。
【図面の簡単な説明】
【００２０】
【図１】本発明の一実施例の操作装置を示すブロック図。
【図２】同操作装置の動作を示すフローチャート図。
【図３】同操作装置の動作のタイミングを説明する図。
【符号の説明】
【００２１】
１    操作装置
２    スイッチ
２ａ  スイッチ操作部
３    制御部
４    記憶部
５    カウンタ
６    被制御機器
【図１】
2006186702.tif 000003
【図２】
2006186702.tif 000004
【図３】
2006186702.tif 000005